【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
情報処理装置の制御方法であって、
所定のタイミングで、印刷装置のアドレス情報が前記情報処理装置に記憶されているか否かを判定し、
前記印刷装置のアドレス情報が前記情報処理装置に記憶されていないと判定された場合に、アドレス情報を受け付けるためのアドレス情報受付画面を前記情報処理装置の表示部に表示させ、
前記アドレス情報受付画面で受け付けたアドレス情報に基づいて第１の要求を送信させ、
前記第１の要求の応答として前記印刷装置から印刷制御装置を経由して送信された前記印刷装置の構成情報を受信させ、
前記印刷装置のアドレス情報が前記情報処理装置に記憶されていると判定された場合に、前記情報処理装置に記憶されたアドレス情報に基づいて第２の要求を送信させ、
前記第２の要求の応答として前記印刷装置から送信された前記印刷装置の構成情報を受信させることを特徴とする制御方法。
【請求項２】
前記印刷装置のアドレス情報が前記情報処理装置に記憶されていると判定された場合に、前記アドレス情報受付画面を前記情報処理装置の前記表示部に表示させることなく、記情報処理装置に記憶されたアドレス情報に基づいて前記第２の要求を送信させることを特徴とする請求項１に記載の制御方法。
【請求項３】
前記所定のタイミングは、前記情報処理装置の制御方法をコンピュータに実行させるプログラムを起動したタイミングであることを特徴とする請求項１または２に記載の制御方法。
【請求項４】
前記印刷装置のアドレス情報が前記情報処理装置に記憶されているか否かの判定は、前記印刷装置のアドレス情報が前記情報処理装置の所定の位置に記憶されているか否かの判定であることを特徴とする請求項１乃至３のいずれか１項に記載の制御方法。
【請求項５】
前記構成情報は、前記印刷装置のシート保持手段に保持されたシートの情報を含むことを特徴とする請求項１乃至４のいずれか１項に記載の制御方法。
【請求項６】
前記シートの情報はシートの名称を含むことを特徴とする請求項５に記載の制御方法。
【請求項７】
前記シートの情報はシートの坪量、シートの色、またはシートの表面性を含むことを特徴とする請求項５に記載の制御方法。
【請求項８】
さらに、前記印刷装置のシート保持手段に保持されたシートの情報を設定することを特徴とする請求項１乃至７のいずれか１項に記載の制御方法。
【請求項９】
前記第１の要求は前記印刷制御装置の転送ポートに送信されることを特徴とする請求項１乃至８のいずれか１項に記載の制御方法。
【請求項１０】
前記第１の要求は前記印刷制御装置によって前記印刷装置に転送されることを特徴とする請求項１乃至９のいずれか１項に記載の制御方法。
【請求項１１】
情報処理装置の制御方法をコンピュータに実行させるためのプログラムであって、前記制御方法は、
所定のタイミングで、印刷装置のアドレス情報が前記情報処理装置に記憶されているか否かを判定し、
前記印刷装置のアドレス情報が前記情報処理装置に記憶されていないと判定された場合に、アドレス情報を受け付けるためのアドレス情報受付画面を前記情報処理装置の表示部に表示させ、
前記アドレス情報受付画面で受け付けたアドレス情報に基づいて第１の要求を送信させ、
前記第１の要求の応答として前記印刷装置から印刷制御装置を経由して送信された前記印刷装置の構成情報を受信させ、
前記印刷装置のアドレス情報が前記情報処理装置に記憶されていると判定された場合に、前記情報処理装置に記憶されたアドレス情報に基づいて第２の要求を送信させ、
前記第２の要求の応答として前記印刷装置から送信された前記印刷装置の構成情報を受信させることを特徴とするプログラム。
【請求項１２】
前記印刷装置のアドレス情報が前記情報処理装置に記憶されていると判定された場合に、前記アドレス情報受付画面を前記情報処理装置の前記表示部に表示させることなく、記情報処理装置に記憶されたアドレス情報に基づいて前記第２の要求を送信させることを特徴とする請求項１１に記載のプログラム。
【請求項１３】
前記所定のタイミングは、前記情報処理装置の制御方法をコンピュータに実行させるプログラムを起動したタイミングであることを特徴とする請求項１１または１２に記載のプログラム。
【請求項１４】
前記印刷装置のアドレス情報が前記情報処理装置に記憶されているか否かの判定は、前記印刷装置のアドレス情報が前記情報処理装置の所定の位置に記憶されているか否かの判定であることを特徴とする請求項１１乃至１３のいずれか１項に記載のプログラム。
【請求項１５】
前記構成情報は、前記印刷装置のシート保持手段に保持されたシートの情報を含むことを特徴とする請求項１１乃至１４のいずれか１項に記載のプログラム。
【請求項１６】
前記シートの情報はシートの名称を含むことを特徴とする請求項１５に記載のプログラム。
【請求項１７】
さらに、前記印刷装置のシート保持手段に保持されたシートの情報を設定することを特徴とする請求項１１乃至１６のいずれか１項に記載のプログラム。
【請求項１８】
前記第１の要求は前記印刷制御装置の転送ポートに送信されることを特徴とする請求項１１乃至１７のいずれか１項に記載のプログラム。
【請求項１９】
前記第１の要求は前記印刷制御装置によって前記印刷装置に転送されることを特徴とする請求項１１乃至１８のいずれか１項に記載のプログラム。
【請求項２０】
情報処理装置であって、
所定のタイミングで、印刷装置のアドレス情報が前記情報処理装置に記憶されているか否かを判定する判定手段と、
前記印刷装置のアドレス情報が前記情報処理装置に記憶されていないと前記判定手段によって判定された場合に、アドレス情報を受け付けるためのアドレス情報受付画面を表示する表示手段と、
前記アドレス情報受付画面で受け付けたアドレス情報に基づいて第１の要求を送信する第１の送信手段と、
前記第１の要求の応答として前記印刷装置から印刷制御装置を経由して送信された前記印刷装置の構成情報を受信する第１の受信手段と、
前記印刷装置のアドレス情報が前記情報処理装置に記憶されていると前記判定手段によって判定された場合に、前記情報処理装置に記憶されたアドレス情報に基づいて第２の要求を送信する第２の送信手段と、
前記第２の要求の応答として前記印刷装置から送信された前記印刷装置の構成情報を受信する第２の受信手段とを有することを特徴とする情報処理装置。
【手続補正２】
【補正対象書類名】明細書
【補正対象項目名】発明の名称
【補正方法】変更
【補正の内容】
【発明の名称】情報処理装置の制御方法、プログラム、及び情報処理装置
【手続補正３】
【補正対象書類名】明細書
【補正対象項目名】０００１
【補正方法】変更
【補正の内容】
【０００１】
本発明は、情報処理装置の制御方法、プログラム、及び情報処理装置に関する。
【手続補正４】
【補正対象書類名】明細書
【補正対象項目名】０００７
【補正方法】変更
【補正の内容】
【０００７】
本発明の目的は、受け付けたアドレス情報に基づいて要求を送信して構成情報を受信する方法と記憶されたアドレス情報に基づいて要求を送信して構成情報を受信する方法の両方を実行できる仕組みを提供することである。
【手続補正５】
【補正対象書類名】明細書
【補正対象項目名】０００８
【補正方法】変更
【補正の内容】
【０００８】
本発明は、情報処理装置の制御方法であって、所定のタイミングで、印刷装置のアドレス情報が前記情報処理装置に記憶されているか否かを判定し、前記印刷装置のアドレス情報が前記情報処理装置に記憶されていないと判定された場合に、アドレス情報を受け付けるためのアドレス情報受付画面を前記情報処理装置の表示部に表示させ、前記アドレス情報受付画面で受け付けたアドレス情報に基づいて第１の要求を送信させ、前記第１の要求の応答として前記印刷装置から印刷制御装置を経由して送信された前記印刷装置の構成情報を受信させ、前記印刷装置のアドレス情報が前記情報処理装置に記憶されていると判定された場合に、前記情報処理装置に記憶されたアドレス情報に基づいて第２の要求を送信させ、前記第２の要求の応答として前記印刷装置から送信された前記印刷装置の構成情報を受信させることを特徴とするものである。
【手続補正６】
【補正対象書類名】明細書
【補正対象項目名】０００９
【補正方法】変更
【補正の内容】
【０００９】
本発明によれば、受け付けたアドレス情報に基づいて要求を送信して構成情報を受信する方法と記憶されたアドレス情報に基づいて要求を送信して構成情報を受信する方法の両方を実行できる仕組みを提供できる。